(57)【要約】【課題】  ユーザ回線が利用される通信呼の使用料の少なくとも一部を還元するサービスの提供を可能とする移動通信システム、ネットワーク装置及び移動通信方法を提供する。【解決手段】  移動通信システム１００は、ユーザ回線を利用するように構成された特定セルを有する。移動通信システム１００は、特定セルを管理する無線基地局を設置したユーザを識別するように構成された回線識別子を用いて、ユーザ回線を通信呼が利用するか否かを判定するように構成された回線判定部２２と、ユーザ回線を利用する通信呼の使用料のうち、特定セルを管理する無線基地局を設置したユーザに還元する還元料を算出するように構成された算出部２４とを備える。【選択図】  図２
2011130390.tif 000002
【特許請求の範囲】
【請求項１】
ユーザ回線を利用するように構成された特定セルを有する移動通信システムであって、
前記特定セルを管理する無線基地局を設置したユーザを識別するように構成された回線識別子を用いて、前記ユーザ回線を通信呼が利用するか否かを判定するように構成された回線判定部と、
前記ユーザ回線を利用する通信呼の使用料のうち、前記特定セルを管理する無線基地局を設置したユーザに還元する還元料を算出するように構成された算出部とを備えることを特徴とする移動通信システム。
【請求項２】
前記ユーザ回線を利用する通信呼の種別、或いは、前記ユーザ回線を利用する通信呼の接続方法が還元対象であるか否かを判定するように構成された呼種別判定部をさらに備え、
前記算出部は、前記ユーザ回線を利用する通信呼の種別、或いは、前記ユーザ回線を利用する通信呼の接続方法が還元対象である場合に、前記ユーザ回線を利用する通信呼の使用料のうち、前記特定セルを管理する無線基地局を設置したユーザに還元する還元料を算出することを特徴とする請求項１に記載の移動通信システム。
【請求項３】
前記特定セルを管理する無線基地局を設置したユーザに還元する還元料を、前記特定セルを管理する無線基地局を設置したユーザに通知するように構成された通知部をさらに備えることを特徴とする請求項１に記載の移動通信システム。
【請求項４】
ユーザ回線を利用するように構成された特定セルを有する移動通信システムに設けられるネットワーク装置であって、
前記特定セルを管理する無線基地局を設置したユーザを識別するように構成された回線識別子を用いて、前記ユーザ回線を通信呼が利用するか否かを判定するように構成された回線判定部と、
前記ユーザ回線を利用する通信呼の使用料のうち、前記特定セルを管理する無線基地局を設置したユーザに還元する還元料を算出するように構成された算出部とを備えることを特徴とするネットワーク装置。
【請求項５】
ユーザ回線を利用するように構成された特定セルを有する移動通信システムに適用される移動通信方法であって、
前記特定セルを管理する無線基地局を設置したユーザを識別するように構成された回線識別子を用いて、前記ユーザ回線を通信呼が利用するか否かを判定するステップと、
前記ユーザ回線を利用する通信呼の使用料のうち、前記特定セルを管理する無線基地局を設置したユーザに還元する還元料を算出するステップとを備えることを特徴とする移動通信方法。
【発明の詳細な説明】
【技術分野】
【０００１】
本発明は、ユーザ回線を利用するように構成された特定セルを有する移動通信システム、移動通信システムで用いられるネットワーク装置及び移動通信方法に関する。
【背景技術】
【０００２】
ＣＳＧ（Ｃｌｏｓｅｄ  Ｓｕｂｓｃｒｉｂｅｒ  Ｇｒｏｕｐ）セル、ホームセル又はフェムトセルなどと称される特定セルが知られている。なお、特定セルには、アクセス種別を設定することが可能である。アクセス種別は、「Ｃｌｏｓｅｄ」、「Ｈｙｂｒｉｄ」又は「Ｏｐｅｎ」である。
【０００３】
「Ｃｌｏｓｅｄ」の特定セルは、特定ユーザ（ＵＥ；Ｕｓｅｒ  Ｅｑｕｉｐｍｅｎｔ）のアクセスのみが許可されるように構成される。「Ｈｙｂｒｉｄ」の特定セルは、特定ユーザに対して他のユーザ（非特定ユーザ）よりも高品質の通信が許可されるように構成される。「Ｏｐｅｎ」の特定セルは、一般的なマクロセルと同様に、全てのユーザのアクセスが許可されるように構成される（例えば、非特許文献１）。
【先行技術文献】
【非特許文献】
【０００４】
【非特許文献１】３ＧＰＰ  ＴＳ３６．３３１  ｖ８．６．０
【発明の概要】
【発明が解決しようとする課題】
【０００５】
ここで、特定セルを利用する回線としては、例えば、ユーザが独自に契約した回線（ユーザ回線）が用いられる。
【０００６】
しかしながら、上述した技術では、特定セルを管理する無線基地局を設置したユーザについて特定する枠組みがない。従って、ユーザ回線を利用する通信呼の使用料の少なくとも一部を還元するサービスを提供することができない。
【０００７】
そこで、本発明は、上述した課題を解決するためになされたものであり、ユーザ回線が利用される通信呼の使用料の少なくとも一部を還元するサービスの提供を可能とする移動通信システム、ネットワーク装置及び移動通信方法を提供することを目的とする。
【課題を解決するための手段】
【０００８】
第１の特徴に係る移動通信システムは、ユーザ回線を利用するように構成された特定セルを有する。移動通信システムは、前記特定セルを管理する無線基地局を設置したユーザを識別するように構成された回線識別子を用いて、前記ユーザ回線を通信呼が利用するか否かを判定するように構成された回線判定部と、前記ユーザ回線を利用する通信呼の使用料のうち、前記特定セルを管理する無線基地局を設置したユーザに還元する還元料を算出するように構成された算出部とを備える。
【０００９】
第１の特徴において、移動通信システムは、前記ユーザ回線を利用する通信呼の種別、或いは、前記ユーザ回線を利用する通信呼の接続方法が還元対象であるか否かを判定するように構成された呼種別判定部をさらに備える。前記算出部は、前記ユーザ回線を利用する通信呼の種別、或いは、前記ユーザ回線を利用する通信呼の接続方法が還元対象である場合に、前記ユーザ回線を利用する通信呼の使用料のうち、前記特定セルを管理する無線基地局を設置したユーザに還元する還元料を算出する。
【００１０】
第１の特徴において、移動通信システムは、前記特定セルを管理する無線基地局を設置したユーザに還元する還元料を、前記特定セルを管理する無線基地局を設置したユーザに通知するように構成された通知部をさらに備える。
【００１１】
第２の特徴に係るネットワーク装置は、ユーザ回線を利用するように構成された特定セルを有する移動通信システムに設けられる。ネットワーク装置は、前記特定セルを管理する無線基地局を設置したユーザを識別するように構成された回線識別子を用いて、前記ユーザ回線を通信呼が利用するか否かを判定するように構成された回線判定部と、前記ユーザ回線を利用する通信呼の使用料のうち、前記特定セルを管理する無線基地局を設置したユーザに還元する還元料を算出するように構成された算出部とを備える。
【００１２】
第３の特徴に係る移動通信方法は、ユーザ回線を利用するように構成された特定セルを有する移動通信システムに適用される。移動通信方法は、前記特定セルを管理する無線基地局を設置したユーザを識別するように構成された回線識別子を用いて、前記ユーザ回線を通信呼が利用するか否かを判定するステップと、前記ユーザ回線を利用する通信呼の使用料のうち、前記特定セルを管理する無線基地局を設置したユーザに還元する還元料を算出するステップとを備える。
【発明の効果】
【００１３】
本発明によれば、ユーザ回線が利用される通信呼の使用料の少なくとも一部を還元するサービスの提供を可能とする移動通信システム、ネットワーク装置及び移動通信方法を提供することができる。
【図面の簡単な説明】
【００１４】
【図１】第１実施形態に係る移動通信システム１００を示す図である。
【図２】第１実施形態に係るネットワーク装置２０を示す図である。
【図３】第１実施形態に係る回線識別子の一例を示す図である。
【図４】第１実施形態に係るＵＥ１０を示す図である。
【図５】第１実施形態に係る移動通信システム１００の動作を示すシーケンス図である。
【図６】変更例１に係る移動通信システム１００を示す図である。
【発明を実施するための形態】
【００１５】
以下において、本発明の実施形態に係る移動通信システムについて、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る移動通信システムは、ユーザ回線を利用するように構成された特定セルを有する。移動通信システムは、特定セルを管理する無線基地局を設置したユーザを識別するように構成された回線識別子を用いて、ユーザ回線を通信呼が利用するか否かを判定するように構成された回線判定部と、ユーザ回線を利用する通信呼の使用料のうち、特定セルを管理する無線基地局を設置したユーザに還元する還元料を算出するように構成された算出部とを備える。
【００１８】
実施形態では、回線識別子は、特定セルを管理する無線基地局を設置したユーザを識別するように構成されており、回線判定部は、回線識別子を用いて、ユーザ回線を通信呼が利用するか否かを判定する。
【００１９】
すなわち、特定セルを管理する無線基地局を設置したユーザを回線識別子によって識別できるため、ユーザ回線が利用される通信呼の使用料の少なくとも一部を還元するサービスを提供することができる。
【００２０】
なお、実施形態において、特定セルは、小規模かつ大規模に配備されるセルであることが好ましい。特定セルは、ＨＮＢ（Ｈｏｍｅ  Ｎｏｄｅ  Ｂ）、ＨｅＮＢ（Ｈｏｍｅ  Ｅｖｏｌｖｅｄ  Ｎｏｄｅ  Ｂ）、フェムトＢＴＳなどによって管理されるセルであることが好ましい。
【００２１】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２２】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２３】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、ホーム基地局１１０Ｂ（以下、ＨＮＢ１１０Ｂ）と、ＲＮＣ１２０Ａと、ホーム基地局ゲートウェイ１２０Ｂ（以下、ＨＮＢ−ＧＷ１２０Ｂ）と、ＳＧＳＮ１３０とを有する。
【００２４】
なお、第１通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ１１０Ａ、ＨＮＢ１１０Ｂ、ＲＮＣ１２０Ａ、ＨＮＢ−ＧＷ１２０Ｂによって構成される。
【００２５】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０Ａ（以下、ｅＮＢ２１０Ａ）と、ホーム基地局２１０Ｂ（以下、ＨｅＮＢ２１０Ｂ）と、ホーム基地局ゲートウェイ２２０Ｂ（以下、ＨｅＮＢ−ＧＷ２２０Ｂ）と、ＭＭＥ２３０とを有する。
【００２６】
なお、第２通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ２１０Ａ、ＨｅＮＢ２１０Ｂ及びＨｅＮＢ−ＧＷ２２０Ｂによって構成される。
【００２７】
ＵＥ１０は、第１通信システム或いは第２通信システムと通信を行うように構成された装置（Ｕｓｅｒ  Ｅｑｕｉｐｍｅｎｔ）である。例えば、ＵＥ１０は、ＮＢ１１０Ａ及びＨＮＢ１１０Ｂと無線通信を行う機能を有する。或いは、ＵＥ１０は、ｅＮＢ２１０Ａ及びＨｅＮＢ２１０Ｂと無線通信を行う機能を有する。
【００２８】
ＮＢ１１０Ａは、マクロセル１１１Ａを有しており、マクロセル１１１Ａに存在するＵＥ１０と無線通信を行う装置（ＮｏｄｅＢ）である。
【００２９】
例えば、マクロセル１１１Ａは、事業者回線を利用するように構成される。事業者回線は、マクロセル１１１Ａを管理するＮＢ１１０Ａを設置した通信事業者が有する回線、或いは、通信事業者が契約した回線である。
【００３０】
ＨＮＢ１１０Ｂは、特定セル１１１Ｂを有しており、特定セル１１１Ｂに存在するＵＥ１０と無線通信を行う装置（Ｈｏｍｅ  ＮｏｄｅＢ）である。
【００３１】
例えば、特定セル１１１Ｂは、ユーザ回線を利用するように構成される。ユーザ回線は、特定セル１１１Ｂを管理するＨＮＢ１１０Ｂを設置したユーザが独自に契約した回線である。ユーザ回線は、事業者が提供する無線制御装置（ＲＮＣ１２０Ａ）とＨＮＢ１１０Ｂとの間の回線、事業者が提供するゲートウェイ装置（ＨＮＢ−ＧＷ１２０Ｂ）とＨＮＢ１１０Ｂとの間の回線、事業者が提供するコアネットワーク装置（ＳＧＳＮ１３０）とＨＮＢ１１０Ｂとの間の回線、或いは、これらの回線の一部である。ユーザ回線は、例えば、ＡＤＳＬ回線や光回線などである。
【００３２】
ＲＮＣ１２０Ａは、ＮＢ１１０Ａに接続されており、マクロセル１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３３】
ＨＮＢ−ＧＷ１２０Ｂは、ＨＮＢ１１０Ｂに接続されており、特定セル１１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３４】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３５】
ｅＮＢ２１０Ａは、マクロセル２１１Ａを有しており、マクロセル２１１Ａに存在するＵＥ１０と無線通信を行う装置（ｅｖｏｌｖｅｄ  ＮｏｄｅＢ）である。
【００３６】
例えば、マクロセル２１１Ａは、事業者回線を利用するように構成される。事業者回線は、マクロセル２１１Ａを管理するｅＮＢ２１０Ａを設置した通信事業者が有する回線、或いは、通信事業者が契約した回線である。
【００３７】
ＨｅＮＢ２１０Ｂは、特定セル２１１Ｂを有しており、特定セル２１１Ｂに存在するＵＥ１０と無線通信を行う装置（Ｈｏｍｅ  ｅｖｏｌｖｅｄ  ＮｏｄｅＢ）である。
【００３８】
例えば、特定セル２１１Ｂは、ユーザ回線を利用するように構成される。ユーザ回線は、特定セル２１１Ｂを管理するＨｅＮＢ２１０Ｂを設置したユーザが独自に契約した回線である。ユーザ回線は、事業者が提供する無線制御装置（ＲＮＣ１２０Ａ）とＨｅＮＢ２１０Ｂとの間の回線、事業者が提供するゲートウェイ装置（ＨｅＮＢ−ＧＷ２２０Ｂ）とＨｅＮＢ２１０Ｂとの間の回線、事業者が提供するコアネットワーク装置（ＭＭＥ２３０）とＨｅＮＢ２１０Ｂとの間の回線、或いは、これらの回線の一部である。ユーザ回線は、例えば、ＡＤＳＬ回線や光回線などである。
【００３９】
ＨｅＮＢ−ＧＷ２２０Ｂは、ＨｅＮＢ２１０Ｂに接続されており、ＨｅＮＢ２１０Ｂを管理する装置（Ｈｏｍｅ  ｅｖｏｌｖｅｄ  ＮｏｄｅＢ  Ｇａｔｅｗａｙ）である。
【００４０】
ＭＭＥ２３０は、ＨｅＮＢ−ＧＷ２２０Ｂを介してＨｅＮＢ２１０Ｂと接続されており、ＨｅＮＢ２１０Ｂと無線接続を設定しているＵＥ１０の移動性を管理する装置（Ｍｏｂｉｌｉｔｙ  Ｍａｎａｇｅｍｅｎｔ  Ｅｎｔｉｔｙ）である。
【００４１】
なお、マクロセル及び特定セルは、ＵＥ１０と無線通信を行う機能として理解すべきである。但し、マクロセル及び特定セルは、セルのサービスエリアを示す用語としても用いられる。また、マクロセル及び特定セルなどのセルは、セルで用いられる周波数、拡散コード又はタイムスロットなどによって識別される。
【００４２】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００４３】
「Ｃｌｏｓｅｄ」の特定セルは、特定セルによって管理される特定のＵＥ１０のアクセスのみが許可されるように構成される。
【００４４】
「Ｈｙｂｒｉｄ」の特定セルは、例えば、特定セルによって管理される特定のＵＥ１０に対して高品質の通信が許可されるように構成されており、特定セルによって管理されていない他のＵＥ１０に対してベストエフォート品質の通信が許可されるように構成される。
【００４５】
「Ｏｐｅｎ」の特定セルは、マクロセルと同様に、全てのＵＥ１０のアクセスが許可されるように構成される。なお、「Ｏｐｅｎ」のセルでは、特定セルによって管理されている否かによって、ＵＥ１０間の通信品質の差異が区別されない。
【００４６】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００４７】
（ネットワーク装置の構成）
以下において、第１実施形態に係るネットワーク装置の構成について、図面を参照しながら説明する。図２は、第１実施形態に係るネットワーク装置２０を示す図である。図２に示すように、ネットワーク装置２０は、通信部２１と、回線判定部２２と、呼種別判定部２３と、算出部２４とを有する。
【００４８】
なお、ネットワーク装置２０は、特定セルを管理する装置（例えば、ＨＮＢ１１０Ｂ、ＨｅＮＢ２１０Ｂ）であってもよい。或いは、ネットワーク装置２０は、特定セルを管理する装置の上位に設けられた装置（例えば、ＲＮＣ１２０Ａ、ＨＮＢ−ＧＷ１２０Ｂ、ＳＧＳＮ１３０、ＨｅＮＢ−ＧＷ２２０Ｂ、ＭＭＥ２３０）であってもよい。或いは、ネットワーク装置２０は、コアネットワーク５０に設けられた他の装置（例えば、課金サーバ）であってもよい。
【００４９】
通信部２１は、ＵＥ１０と通信を行う。或いは、通信部２１は、他のネットワーク装置と通信を行う。
【００５０】
例えば、通信部２１は、特定セルを管理する無線基地局を設置したユーザに対して、後述する算出部２４によって算出される還元料を通知する。
【００５１】
回線判定部２２は、ＵＥ１０が行う通信で設定される通信呼がユーザ回線を利用するか否かを判定する。通信呼は、例えば、音声呼、パケット呼、発信呼、着信呼などである。
【００５２】
具体的には、第１に、回線判定部２２は、ＵＥ１０が特定セルと通信を行う場合に、特定セルを管理する無線基地局を設置したユーザを識別するように構成された回線識別子を取得する。ここで、特定セルを管理する無線基地局の識別子と無線基地局を設置したユーザとの対応関係を回線判定部２２が有している場合には、回線識別子は、特定セルを管理する無線基地局の識別子であってもよい。
【００５３】
なお、回線識別子は、マクロセルを管理する無線基地局を識別するように構成されていてもよく、マクロセルを管理する無線基地局を設置した通信事業者を識別するように構成されていてもよい。
【００５４】
例えば、ネットワーク装置２０が無線制御装置（ＨＮＢ−ＧＷ１２０Ｂ、ＲＮＣ１２０Ａ、ＨｅＮＢ２１０Ｂなど）である場合には、回線判定部２２は、無線リンクの設定応答（Ｒａｄｉｏ  Ｌｉｎｋ  Ｒｅｓｐｏｎｓｅ）の中から、回線識別子を抽出する。
【００５５】
なお、回線識別子は、例えば、図３に示す構成を有する。図３に示すように、回線識別子は、“Ａｃｃｅｓｓ  Ｃｈａｒｇｅ  Ｂｉｔ”、“回線Ｔｙｐｅ”、“ユーザ回線率”、“ＣＳＧ  ＩＤ”によって構成される。
【００５６】
“Ａｃｃｅｓｓ  Ｃｈａｒｇｅ  Ｂｉｔ”は、無線基地局がユーザ回線を用いているか、無線基地局が事業者回線を用いているかを示す情報要素である。“Ａｃｃｅｓｓ  Ｃｈａｒｇｅ  Ｂｉｔ”の長さは、例えば、１ｂｉｔである。
【００５７】
“回線Ｔｙｐｅ”は、無線基地局がユーザ回線を用いる場合に、ユーザ回線の種別を示す情報要素である。“回線Ｔｙｐｅ”は、ＡＤＳＬ回線、光回線といった種別を示す。“回線Ｔｙｐｅ”の長さは、例えば、３ｂｉｔである。
【００５８】
“ユーザ回線率”は、無線基地局がユーザ回線を用いる場合に、回線全体或いは事業者回線に対してユーザ回線が占める割合を示す情報要素である。“ユーザ回線率”の長さは、例えば、７ｂｉｔである。
【００５９】
“ＣＳＧ  ＩＤ”は、無線基地局がユーザ回線を用いる場合に、特定セルを管理する無線基地局を識別する情報要素である。すなわち、“ＣＳＧ  ＩＤ”は、特定セルを管理する無線基地局を設置したユーザを識別する情報要素である。“ＣＳＧ  ＩＤ”の長さは、例えば、２７ｂｉｔである。
【００６０】
なお、ネットワーク装置２０は、特定セルを管理する無線基地局を設置したユーザと“ＣＳＧ  ＩＤ”とを対応付ける情報を管理していることが好ましい。或いは、ネットワーク装置２０は、特定セルを管理する無線基地局を設置したユーザと“ＣＳＧ  ＩＤ”とを対応付ける情報を他の装置から取得してもよい。
【００６１】
第２に、回線判定部２２は、回線識別子に基づいて、ユーザ回線を通信呼が利用するか否かを判定する。すなわち、回線判定部２２は、ユーザ回線を通信呼が利用することが回線識別子によって識別される場合に、ユーザ回線を通信呼が利用すると判定する。
【００６２】
なお、回線識別子がマクロセルを管理する無線基地局を設置した通信事業者を識別するように構成されている場合には、回線判定部２２は、回線識別子に基づいて、事業者回線を通信呼が利用するか否かを判定してもよい。すなわち、回線判定部２２は、事業者回線を通信呼が利用することが回線識別子によって識別される場合に、ユーザ回線を通信呼が利用すると判定する。
【００６３】
呼種別判定部２３は、ＵＥ１０が行う通信で設定される通信呼の種別を判定する。具体的には、呼種別判定部２３は、ユーザ回線を利用する通信呼の種別、或いは、前記ユーザ回線を利用する通信呼の接続方法が還元対象であるか否かを判定する。還元対象種別は、音声呼、パケット呼などのうち、いずれか１つ以上の通信呼であってもよい。また、還元対象種別は、発信、着信、緊急呼、通常呼、ＨＳＰＡ等の個別チャネル接続、ＨＳＰＡ等の共通チャネル接続などのように、通信呼の接続方法であってもよい。還元対象は、通信事業者などが任意に決定してもよい。
【００６４】
算出部２４は、通信呼がユーザ回線を利用する場合に、特定セルを管理する無線基地局を設置したユーザに還元する還元料を算出する。或いは、算出部２４は、ユーザ回線を利用する通信呼の種別、或いは、前記ユーザ回線を利用する通信呼の接続方法が還元対象である場合に、特定セルを管理する無線基地局を設置したユーザに還元する還元料を算出する。すなわち、算出部２４は、ユーザ回線を利用する通信呼の使用料のうち、特定セルを管理する無線基地局を設置したユーザに還元する還元料を算出する。
【００６５】
算出部２４によって算出される還元料は、使用量と還元料との比率（還元率）によって表されてもよい。或いは、算出部２４によって算出される還元料は、ユーザに還元する金額の絶対額であってもよい。
【００６６】
具体的には、回線識別子がユーザ回線のみを識別するように構成されている場合に、算出部２４は、ユーザ回線が占有される時間に基づいて、ユーザに還元する還元料を算出する。或いは、算出部２４は、ユーザ回線を利用する通信量（パケット量）に基づいて、ユーザに還元する還元料を算出する。
【００６７】
或いは、回線識別子がユーザ回線及び事業者回線の双方を識別するように構成されている場合には、算出部２４は、ユーザ回線が占有される時間と事業者回線が占有されている時間との比率に基づいて、ユーザに還元する還元料を算出する。或いは、算出部２４は、ユーザ回線を利用する通信量（パケット量）と事業者回線を利用する通信量（パケット量）との比率に基づいて、ユーザに還元する還元料を算出する。
【００６８】
ここで、通信呼の使用料は、一般的に、ＵＥ１０の加入者から通信事業者によって回収される。特定セルを管理する無線基地局を設置したユーザがＵＥ１０の加入者である場合には、算出部２４によって算出された還元料は、ＵＥ１０の加入者に還元される。なお、特定セルを管理する無線基地局を設置したユーザがＵＥ１０の加入者と異なっていてもよい。
【００６９】
（通信端末装置の構成）
以下において、第１実施形態に係る通信端末装置の構成について、図面を参照しながら説明する。図４は、第１実施形態に係るＵＥ１０を示す図である。図４に示すように、ＵＥ１０は、通信部１１と、表示部１２とを有する。なお、ＵＥ１０の加入者が、特定セルを管理する無線基地局を設置したユーザと同じであるケースについて例示する。すなわち、還元料がＵＥ１０の加入者に還元されるケースについて例示する。
【００７０】
通信部１１は、ＮＢ１１０Ａ及びＨＮＢ１１０Ｂと無線通信を行う。また、通信部１１は、ｅＮＢ２１０Ａ、ＨｅＮＢ２１０Ｂと無線通信を行う。また、通信部１１は、ネットワーク装置２０と通信を行う。
【００７１】
表示部１２は、各種情報を表示する。例えば、表示部１２は、還元料を表示する。ここで、表示部１２は、一定期間における還元料の履歴を表示してもよく、一定期間における還元料の累積額を表示してもよい。
【００７２】
なお、還元料は、ネットワーク装置２０からＵＥ１０に対して通知されることが好ましい。例えば、還元料は、通信呼の終了時にＵＥ１０に通知されてもよく、ＵＥ１０の要求に応じて通知されてもよい。
【００７３】
（移動通信システムの動作）
以下において、第１実施形態に係る移動通信システムの動作について、図面を参照しながら説明する。図５は、第１実施形態に係る移動通信システム１００の動作を示すシーケンス図である。
【００７４】
ここでは、ＵＥ１０が、ＨＮＢ１１０Ｂ（特定セル１１１Ｂ）と通信を開始して、ＮＢ１１０Ａ（マクロセル１１１Ａ）及びＨＮＢ１１０Ｂ（特定セル１１１Ｂ）との間のソフトハンドオーバ状態を経て、ＮＢ１１０Ａ（マクロセル１１１Ａ）と通信を行うケースについて例示する。
【００７５】
図５に示すように、ステップ１０において、ＵＥ１０は、ＨＮＢ−ＧＷ１２０Ｂに対して、ＵＥ１０とＨＮＢ−ＧＷ１２０Ｂとの間の無線接続要求（ＲＲＣ  Ｃｏｎｎｅｃｔｉｏｎ  Ｒｅｑｕｅｓｔ）を送信する。
【００７６】
ステップ１１において、ＨＮＢ−ＧＷ１２０Ｂは、ＨＮＢ１１０Ｂ（特定セル１１１Ｂ）に対して、ＵＥ１０とＨＮＢ１１０Ｂ（特定セル１１１Ｂ）との間の無線リンクの設定要求（Ｒａｄｉｏ  Ｌｉｎｋ  Ｓｅｔｕｐ  Ｒｅｑｕｅｓｔ）を送信する。
【００７７】
ステップ１２において、ＨＮＢ１１０Ｂ（特定セル１１１Ｂ）は、ＨＮＢ−ＧＷ１２０Ｂに対して、ＵＥ１０とＨＮＢ１１０Ｂ（特定セル１１１Ｂ）との間の無線リンクの設定応答（Ｒａｄｉｏ  Ｌｉｎｋ  Ｓｅｔｕｐ  Ｒｅｓｐｏｎｓｅ）を送信する。
【００７８】
ここで、ＨＮＢ１１０Ｂ（特定セル１１１Ｂ）は、特定セル１１１Ｂを管理するＨＮＢ１１０Ｂ（或いは、ＨＮＢ１１０Ｂを設置したユーザ）を識別するように構成された回線識別子を設定応答に含める。
【００７９】
ステップ１３において、ＨＮＢ−ＧＷ１２０Ｂは、ステップ１２で受信する設定応答の中から、回線識別子を抽出する。或いは、ＨＮＢ−ＧＷ１２０Ｂは、回線識別子に基づいて、ＨＮＢ１１０Ｂを設置したユーザを特定する。
【００８０】
ステップ１４において、ＨＮＢ−ＧＷ１２０Ｂは、ＵＥ１０に対して、ＵＥ１０とＨＮＢ−ＧＷ１２０Ｂとの間の無線接続の設定指示（ＲＲＣ  Ｃｏｎｎｅｃｔｉｏｎ  Ｓｅｔｕｐ）を送信する。
【００８１】
ステップ１５において、ＵＥ１０は、ＨＮＢ−ＧＷ１２０Ｂに対して、ＵＥ１０とＨＮＢ−ＧＷ１２０Ｂとの間の無線接続の設定完了（ＲＲＣ  Ｃｏｎｎｅｃｔｉｏｎ  Ｓｅｔｕｐ  Ｃｏｍｐｌｅｔｅ）を送信する。
【００８２】
ステップ１６において、ＨＮＢ−ＧＷ１２０Ｂは、ＳＧＳＮ１３０に対して、ステップ１３で抽出された回線識別子を報告する。或いは、ＨＮＢ−ＧＷ１２０Ｂは、ＳＧＳＮ１３０に対して、ステップ１３で特定されたユーザを報告する。
【００８３】
ステップ１７において、ＨＮＢ−ＧＷ１２０Ｂは、ＲＮＣ１２０Ａを介してＮＢ１１０Ａ（マクロセル１１１Ａ）に対して、ＵＥ１０とＮＢ１１０Ａ（マクロセル１１１Ａ）との間の無線リンクの設定要求（Ｒａｄｉｏ  Ｌｉｎｋ  Ｓｅｔｕｐ  Ｒｅｑｕｅｓｔ）を送信する。
【００８４】
ステップ１８において、ＮＢ１１０Ａ（マクロセル１１１Ａ）は、ＲＮＣ１２０Ａを介してＨＮＢ−ＧＷ１２０Ｂに対して、ＵＥ１０とＮＢ１１０Ａ（マクロセル１１１Ａ）との間の無線リンクの設定応答（Ｒａｄｉｏ  Ｌｉｎｋ  Ｓｅｔｕｐ  Ｒｅｓｐｏｎｓｅ）を送信する。
【００８５】
ここで、ＮＢ１１０Ａ（マクロセル１１１Ａ）は、マクロセル１１１Ａを管理するＮＢ１１０Ａ（或いは、ＮＢ１１０Ａを設置した通信事業者）を識別するように構成された回線識別子を設定応答に含める。
【００８６】
ステップ１９において、ＨＮＢ−ＧＷ１２０Ｂは、ＵＥ１０に対して、ＮＢ１１０Ａ（マクロセル１１１Ａ）及びＨＮＢ１１０Ｂ（特定セル１１１Ｂ）との間のソフトハンドオーバの開始を示すコマンド（ＨＡＮＤＯＶＥＲ  ＣＯＭＭＡＮＤ）を送信する。
【００８７】
ステップ２０において、ＨＮＢ−ＧＷ１２０Ｂは、ステップ１８で受信する設定応答の中から、回線識別子を抽出する。或いは、ＨＮＢ−ＧＷ１２０Ｂは、回線識別子に基づいて、ＮＢ１１０Ａを設置した通信事業者を特定する。
【００８８】
ステップ２１において、ＵＥ１０は、ＨＮＢ−ＧＷ１２０Ｂに対して、ＮＢ１１０Ａ（マクロセル１１１Ａ）及びＨＮＢ１１０Ｂ（特定セル１１１Ｂ）との間のソフトハンドオーバの完了を示すコマンド（ＨＡＮＤＯＶＥＲ  ＣＯＭＰＬＥＴＥ）を送信する。
【００８９】
ステップ２２において、ＨＮＢ−ＧＷ１２０Ｂは、ＳＧＳＮ１３０に対して、ステップ２０で抽出された回線識別子を報告する。或いは、ＨＮＢ−ＧＷ１２０Ｂは、ＳＧＳＮ１３０に対して、ステップ２０で特定された通信事業者を報告する。
【００９０】
ステップ２３において、ＨＮＢ−ＧＷ１２０Ｂは、ＨＮＢ１１０Ｂ（特定セル１１１Ｂ）に対して、無線リンクの削除要求（Ｒａｄｉｏ  Ｌｉｎｋ  Ｄｅｌｅｔｉｏｎ  Ｒｅｑｕｅｓｔ）を送信する。
【００９１】
ステップ２４において、ＨＮＢ１１０Ｂ（特定セル１１１Ｂ）は、ＨＮＢ−ＧＷ１２０Ｂに対して、無線リンクの削除応答（Ｒａｄｉｏ  Ｌｉｎｋ  Ｄｅｌｅｔｉｏｎ  Ｒｅｓｐｏｎｓｅ）を送信する。
【００９２】
なお、接続手順は、ハンドオーバ手順であってもよく、再接続手順や共通チャネル遷移手順などのセル更新（ＣＥＬＬ  ＵＰＤＡＴＥ）手順であってもよい。また、接続手順は、ＨＮＢ１１０Ｂにおける発信、着信、ＣＳＦＢ（Ｃｉｒｃｕｉｔ  Ｓｗｉｔｃｈｉｎｇ  Ｆａｌｌｂａｃｋ）などのＩｎｔｅｒ−ＲＡＴ手順であってもよい。
【００９３】
（作用及び効果）
実施形態では、回線識別子は、特定セルを管理する無線基地局を設置したユーザを識別するように構成されており、回線判定部２２は、回線識別子を用いて、ユーザ回線を通信呼が利用するか否かを判定する。
【００９４】
すなわち、特定セルを管理する無線基地局を設置したユーザを回線識別子によって識別できるため、ユーザ回線が利用される通信呼の使用料の少なくとも一部を還元するサービスを提供することができる。
【００９５】
実施形態では、呼種別判定部２３は、ユーザ回線を利用する通信呼の種別、或いは、前記ユーザ回線を利用する通信呼の接続方法が還元対象であるか否かを判定する。すなわち、通信事業者等が還元対象を設定することができるため、使用料の還元サービスとして、多様なサービスを提供することができる。
【００９６】
このように、使用料の還元サービスを提供することによって、特定セルを管理する無線基地局を設置したユーザに対して、特定セルによって管理されていない他のＵＥ１０に対して特定セルを利用させるインセンティブを与えることができる。すなわち、「Ｈｙｂｒｉｄ」や「Ｏｐｅｎ」がアクセス種別として設定された特定セルの増加を見込むことができる。これによって、特定セルの利用促進を図ることができる。
【００９７】
［変更例１］
以下において、第１実施形態の変更例１について、図面を参照しながら説明する。以下においては、第１実施形態との相違点について主として説明する。
【００９８】
具体的には、第１実施形態では、ＨＮＢ１１０Ｂの上位ノードは、ＨＮＢ−ＧＷ１２０Ｂである。一方で、変更例１では、図６に示すように、ＨＮＢ１１０Ｂの上位ノードは、ＲＮＣ１２０Ａである。
【００９９】
変更例１では、ＲＮＣ１２０Ａは、ＨＮＢ−ＧＷ１２０Ｂに代わって、ＨＮＢ１１０Ｂを管理する。すなわち、ＲＮＣ１２０Ａは、ＲＮＣ１２０Ａの配下に属する装置に対して、ＨＮＢ−ＧＷ１２０Ｂと同様の機能を提供する。
【０１００】
また、第１実施形態では、ＨｅＮＢ２１０Ｂの上位ノードは、ＨｅＮＢ−ＧＷ２２０Ｂである。一方で、変更例１では、図６に示すように、ＨｅＮＢ２１０Ｂの上位ノードは、ＭＭＥ２３０である。
【０１０１】
変更例１では、ＨｅＮＢ２１０Ｂは、ＨｅＮＢ−ＧＷ２２０Ｂに代わって、ＨｅＮＢ２１０Ｂの配下に属する装置に対して、ＨｅＮＢ−ＧＷ２２０Ｂと同様の機能を提供する。
【０１０２】
なお、ＨＮＢ−ＧＷ１２０Ｂのみが省略されてもよく、ＨｅＮＢ−ＧＷ２２０Ｂのみが省略されてもよい。
【０１０３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０４】
上述した図５に示すシーケンスでは、第１通信システムにおいて、ＵＥ１０が利用するセルが変更されるケースについて例示した。しかしながら、実施形態は、これに限定されるものではない。例えば、第２通信システムにおいて、ＵＥ１０が利用するセルが変更されるケースについて、実施形態が適用されてもよい。或いは、第１通信システムと第２通信システムとの間において、ＵＥ１０が利用するセルが変更されるケースについて、実施形態が適用されてもよい。
【０１０５】
上述した実施形態において、ネットワーク装置２０に設けられた構成（通信部２１、回線判定部２２、呼種別判定部２３、算出部２４）が一つの装置に設けられるケースについて例示した。しかしながら、実施形態は、これに限定されるものではない。すなわち、通信部２１、回線判定部２２、呼種別判定部２３、算出部２４は、それぞれ、別々な装置に設けられていてもよい。
【０１０６】
例えば、回線判定部２２又は呼種別判定部２３は、ＮＢ１１０Ａ、ＨＮＢ１１０Ｂ、ｅＮＢ２１０Ａ又はＨｅＮＢ２１０Ｂなどに設けられてもよい。回線判定部２２又は呼種別判定部２３は、ＲＮＣ１２０Ａ、ＨＮＢ−ＧＷ１２０Ｂ、ｅＮＢ２１０Ａ、ＨｅＮＢ２１０Ｂ又はＨｅＮＢ−ＧＷ２２０Ｂなどに設けられていてもよい。回線判定部２２又は呼種別判定部２３は、ＳＧＳＮ１３０又はＭＭＥ２３０に設けられていてもよい。算出部２４は、ＳＧＳＮ１３０又はＭＭＥ２３０に設けられていてもよく、コアネットワーク５０に設けられたサーバ（例えば、課金サーバ）に設けられていてもよい。
【０１０７】
或いは、算出部２４は、ＲＮＣ１２０Ａ、ＨＮＢ−ＧＷ１２０Ｂ、ｅＮＢ２１０Ａ、ＨｅＮＢ２１０Ｂ又はＨｅＮＢ−ＧＷ２２０Ｂに設けられていてもよい。このようなケースにおいて、ＳＧＳＮ１３０又はＭＭＥ２３０などの交換機に回線判定部２２及び呼種別判定部２３が設けられている場合には、交換機から算出部２４を有する装置に対して、ＳＰＩＤ（Ｓｕｂｓｃｒｉｂｅｒ  Ｐｒｏｆｉｌｅ  Ｉｄｅｎｔｉｔｙ）等の情報要素によって、通信呼が還元対象呼である旨が通知される。
【０１０８】
各装置間の通信では、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）、ＮＢＡＰ（Ｎｏｄｅ  Ｂ  Ａｐｐｌｉｃａｔｉｏｎ  Ｐａｒｔ）、ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）、ＨＮＢＡＰ（Ｈｏｍｅ  Ｎｏｄｅ  Ｂ  Ａｐｐｌｉｃａｔｉｏｎ  Ｐａｒｔ）などの制御信号が用いられる。
【０１０９】
なお、上述したＵＥ１０の動作は、ハードウェアによって実施されてもよいし、プロセッサによって実行されるソフトウェアモジュールによって実施されてもよいし、両者の組み合わせによって実施されてもよい。
【０１１０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥ１０内に設けられていてもよい。また、かかる記憶媒体及びプロセッサは、ディスクリートコンポーネントとしてＵＥ１０内に設けられていてもよい。
【符号の説明】
【０１１２】
１０…通信端末装置、１１…通信部、１２…表示部、２０…ネットワーク装置、２１…通信部、２２…回線判定部、２３…呼種別判定部、２４…算出部、５０…コアネットワーク、１００…移動通信システム、１１０Ａ…ＮＢ、１１０Ｂ…ＨＮＢ、１１１Ａ…マクロセル、１１１Ｂ…特定セル、１２０Ａ…ＲＮＣ、１２０Ｂ…ＨＮＢ−ＧＷ、１３０…ＳＧＳＮ、２１０Ａ…ｅＮＢ、２１０Ｂ…ＨｅＮＢ、２１１Ａ…マクロセル、２１１Ｂ…特定セル、２２０Ｂ…ＨｅＮＢ−ＧＷ、２３０…ＭＭＥ
【図１】
2011130390.tif 000003
【図２】
2011130390.tif 000004
【図３】
2011130390.tif 000005
【図４】
2011130390.tif 000006
【図５】
2011130390.tif 000007
【図６】
2011130390.tif 000008